Podtech/llm-jp-corpus-v4-ja_patent huggingface dataset:
(57)【要約】【課題】装置を小型、軽量、安価にし、使用者に簡易な測定が行え、経済的負担をかけない装置を提供する。【解決手段】超音波を利用した測定で、手の指の骨密度を評価する装置とし、プローブ間隔を短くしたことで、小型、軽量化され、さらに部品数を減らすことで安価な装置となる。測定は、一対のプローブの間に手の指（第二指中節骨中央部）を挟み込むようにして設置し、超音波を送波し透過時間を測定し、この透過時間と固定されたプローブ間の距離から骨内部の透過伝播速度から骨密度を評価する。【選択図】  図１
2008206633.tif 000002
【特許請求の範囲】
【請求項１】
コンピュータによって骨密度を評価する手段及び超音波測定装置であって、指の骨内部の超音波の透過伝播速度から骨密度を評価する手段及び超音波測定装置。
【請求項２】
コンピュータによって骨密度を評価する手段及び超音波測定装置であって、第二指中節骨中央部の骨内部の超音波の透過伝播速度から骨密度を評価する手段及び超音波測定装置。
【発明の詳細な説明】
【技術分野】
【０００１】
本発明は指骨の骨密度を評価する手段及び超音波測定装置に関するものである。
【背景技術】
【０００２】
従来のＸ線を利用した診断では、人体に有害な放射線を浴びるため、リスクを負いながらの評価であった。また、従来の超音波を利用した骨を測定する装置には、踵や腕で測定するものが主体であり、大型で高価な装置が多かった。
【特許文献１】特開平０７−２７０３８５公報
【特許文献２】特許第３１８２５５８号
【特許文献３】特開２００１−９５７９７公報
【発明の開示】
【発明が解決しようとする課題】
【０００３】
骨粗しょう症患者およびその治療費は年々増加すると推測されている。一方、骨粗しょう症に対する効果的な治療法も近年開発されている。早い時期に診断して発見することで、骨量および骨強度の減少を評価し、骨折の発生を予防することが重要となる。このため、健康診断等での測定だけでなく、日常的な測定をすることが有効である。従来の超音波測定装置では高価なため、病院等の施設での使用に限られ、個人で購入するには経済的負担が大きいという課題があった。
【０００４】
従来の超音波測定装置は、大型で持ち運びをするには重すぎる。
【０００５】
従来主流であった超音波を使用した踵の骨密度を測定する装置では、測定部位である踵にゼリー等の接触媒質を塗布するために裸足になる必要があり、特に女性でストッキングを履いている場合に容易に測定することが出来ない場合が多い。
【０００６】
従来の指骨を測定部位とした超音波測定装置では、指骨の骨格形状が複雑であるため、プローブ間隔が可動式のものでは、測定精度が不安定になるという課題があった。
【課題を解決するための手段】
【０００７】
指骨を測定部位とすることで、他の測定部位よりプローブ間隔を短くすることができるため小型化でき、さらに、装置の部品数が減ることで安価に製造できる。
【０００８】
指骨を測定部位とする装置にすることで、測定部が手の平程の大きさに小型・軽量化が可能となる。
【０００９】
従来の超音波骨密度測定装置は踵骨を測定部位とすることが主体であったために、裸足になる、ストッキングを脱ぐといったことが必要であったが、指骨を測定部位とする装置にすることにより、手間や時間がかかることがなくなる。
【００１０】
プローブ間隔を固定することで、測定毎のプローブ間隔の違いによる透過時間の誤差がなくなる。
【発明の効果】
【００１１】
安価に製造できる装置にすることで個人消費者にとっても購入しやすくなる。さらに、日常的な測定が可能となり、個人で骨粗しょう症の予防ができるようになる。
【００１２】
小型・軽量化されたことにより、携帯性に優れた装置となる。
【００１３】
指骨を測定部位とした装置にすることで、手間や時間がかからなくなったため、検診等で使用した場合に短時間で大人数を測定することが可能となる。
【００１４】
プローブの間隔を固定の装置にしたことで、測定精度が向上した。
【発明を実施するための最良の形態】
【００１５】
本発明の超音波測定装置の測定手段について図１のアルゴリズム及びソフトの仕組みを説明する。超音波測定装置はコンソールＢＯＸと測定部で構成される。コンソールＢＯＸは、性別、年齢、計測開始、計測中止、印刷の入力をするシートキーボード入力部、操作説明及び結果を表示するＬＣＤ表示部、サーマルプリンタによる印刷部、キーボードからのデータを送信、表示、印刷を受信するデータ送受信部から構成される。測定部は性別、年齢等の患者データ、指骨幅測定と透過の切り替え、測定データの処理から成る測定、基板、プローブ、ケーブル、ＬＣＤ、キーボードの機能チェック、透過時間と固定されたプローブ間の距離から骨内部の透過伝播速度が得られ、透過伝播速度から指の骨密度を評価する測定用ソフトウェアシステム、超音波基板コントロール、Ａ／Ｄ変換を行う基板コントロール部、画面・印刷データの送信、キーボードデータを受信するデータ送受信部から構成される。
【００１６】
本発明の超音波測定装置について図２を用いて説明する。装置はコンソールＢＯＸ１と測定部２で構成され、測定部２にはプローブ３の間隔が１５ｍｍから１７ｍｍで固定されて設置してあり、このプローブの間に、図３に示す測定部位４である手の指（第二指中節骨中央部）およびプローブにゼリー等の接触媒質を塗って（水中での測定の場合には塗らなくてよい）指を挟みこむようにして設置し、プローブ間に超音波を送波する。測定は８０ｄＢで行い、送信プローブ３から超音波が送波され受信プローブ４で得られる第１波までの透過時間を図４に示す。
【実施例１】
【００１７】
例えば、図５に示すような測定部に、両側に間隔が固定して設置された一対のプローブ３の間にゼリー等の接触媒質を充填し指を測定部位がプローブの間にくるように設置する。実施例１と同様に、プローブ間に超音波を送波して、透過時間と固定されたプローブ間の距離から骨内部の透過伝播速度が得られ、透過伝播速度から骨密度を評価する。
【図面の簡単な説明】
【００１８】
【図１】本発明のシステムの基本構造を示す説明図である。
【図２】本発明の装置の構成を示す説明図である。
【図３】本発明の装置での測定部位を示す説明図である。
【図４】本発明の透過時間の説明図である。
【図５】本発明の実施方法を示す説明図である。（実施例１）
【符号の説明】
【００１９】
１  コンソールＢＯＸ
２  測定部
３  送信プローブ
４  受信プローブ
５  測定部位（第二指中節骨中央部）
【図１】
2008206633.tif 000003
【図２】
2008206633.tif 000004
【図３】
2008206633.tif 000005
【図４】
2008206633.tif 000006
【図５】
2008206633.tif 000007
(57)【要約】      （修正有）【課題】名刺情報の交換、携帯電話スケジュールの自動登録、電話番号でのメール送信を可能にする。【解決手段】営業時に、相手の携帯電話番号を聞き、自分の携帯電話にあるＣＲＭプログラムを起動する。相手の携帯電話番号を入力し、相手の会社など名刺情報などを取得し、自分の電話帳に登録する。同じように相手も自分の会社情報などが取得できる。パソコンの専用Ｗｅｂページでスケジュールを登録し、自分の携帯電話宛にメールを送信する。携帯電話のメール機能でメールを受信し、受信したメールをクリックすることよりスケジュールを登録する。航空券を予約する時には、旅行会社に電話して、航空券を予約する。自分の携帯電話にあるＣＲＭプログラムを起動し、旅行会社の電話番号を入力し、氏名、英字名、生年月日、パスポート番号、メッセージを旅行会社に通知する。【選択図】図１
2008206119.tif 000002
【特許請求の範囲】
【請求項１】
相手の電話番号を指定することより相手の所属する会社や個人情報など取得すること。
【請求項２】
パソコン上での会社や個人のスケジュールと携帯電話スケジュールを自動的に連携させます。
【請求項３】
相手の電話番号を指定することで電子メールを送信すること。
【発明の詳細な説明】
【技術分野】
【０００１】該当発明は電話番号のみ使用し、名刺情報の交換を実現します。会社や個人のスケジュール管理と携帯電話スケジュールを自動的に連携させます。相手のメールアドレスが解らなくでも、相手の電話番号を指定することよりメッセージを送信することができます。
【背景技術】
【０００２】携帯電話のｊａｖａアプリ技術（或いは既存のプログラムの改造）、インターネットを利用することより上述機能を実現します。
【発明の開示】
【０００３】・  名刺情報の交換
事前に携帯電話で自分の携帯電話番号、会社情報、個人情報をインターネットサーバーへ登録する。そして専用ソフト（本発明）を使用し、携帯電話番号や固定電話番号を指定することより相手の情報を取得できます。
・  携帯電話スケジュールの自動登録
パソコンでスケジュールを作成し、インターネットサーバーに登録します。そしてインターネットサーバーより携帯電話へ「スケジュール取得してください」メールを送信します。携帯電話でメール受信し、スケジュール自動取得機能を起動し、スケジュールの登録を行います。
・  電話番号でのメール送信
送信先の電話番号とメッセージをインターネットサーバーへ送信し、インターネットサーバーにあるＤＢに該当電話番号を探し、対応するメールアドレスを取得し、相手にメッセージを送信します。
【発明が解決しようとする課題】
【０００４】１、現在、携帯電話にある電話帳の項目が幾つありますが、入力が面倒のため、沢山の使用者は氏名や電話番号しか登録されていません。該当発明は相手の電話番号のみ指定して、相手の情報を取得することができるようになります。
２、現在、携帯電話にスケジュール機能がありますが、入力が面倒のため、ほどんとの人が細かいスケジュールを登録しません。該当発明はパソコンでスケジュールを入力して、携帯電話のメール機能を利用し、携帯電話スケジュールに登録を行います。
３、現在、航空券やホテルなどの予約はインターネットを利用していますが、でも電話で予約する人が沢山います。電話での予約は自分の氏名、英字名、旅券番号、イーメールアドレスなど要求され、なかなか伝われない状態です。ですので、該当発明を利用し、予約先の電話番号を指定して必要な情報を送信することができます。
【課題を解決するための手段】
【０００５】・  上記の解決手段は携帯電話専用アプリケーションを作成し、携帯アプリ専用サーバーへアップロードします。使用者は携帯電話に該当アプリケーションをダウンロードします。まだは該当発明専用サーバーを構築し、専用サービスプログラムを開発、導入します。
【発明の効果】
【０００６】該当発明の利用者としては以下の効果がある。
・  電話番号のみで相手の情報を取得でき、携帯電話帳を充実利用できます。営業マンに再適用です。
・  携帯電話のスケジュールを有効的に利用できます。
・  電話での各種予約に役に立ちます。
【発明を実施するための最良の形態】
【０００７】・  会社情報、個人情報の管理は専用のインターネットサーバーを構築します。該当サーバーと携帯電話間の通信はＳＳＬ通信セキュリティーを使用します。
・  携帯電話に専用ソフトを導入し、上述機能を実現します。
【実施例】
【０００８】１、営業する時に、相手の携帯電話番号を聞き、自分の携帯電話にある該当発明のＫ・ＣＲＭプログラムを起動します。相手の携帯電話番号を入力、相手の会社など名刺情報など取得、自分の電話帳に登録します。同じように相手が自分の会社情報など取得できます。
２、パソコン上で本発明の専用Ｗｅｂページでスケジュールを登録し、自分携帯電話宛にメールを送信します。携帯電話のメール機能でメールを受信します。受信したメールをクリックすることよりスケジュールを登録します。
３、航空券を予約する時に、旅行会社に電話して、航空券を予約します。自分の携帯電話にある該当発明のＫ・ＣＲＭプログラムを起動します。旅行会社の電話番号を入力、氏名、英字名、生年月日、パスポート番号、メッセージを旅行会社に通知します。
【図面の簡単な説明】
【０００９】
【図１】該当発明を示した構成図である。
【符号の説明】
【００１０】１．  携帯電話Ａ
２．  携帯電話Ｂ
３．  インターネット専用サーバー
４．  会社、個人情報管理ＤＢ
５．  コンピュータ
６．  インターネット
７．  ＳＳＬセキュリティー通信
【図１】
2008206119.tif 000003
(57)【要約】【課題】携帯電話画面拭きクロスを装着したまま電話が使用でき、画面の汚れの予防とさらに刷毛の機能も備えボタンの溝の埃も払うことができる着脱可能な携帯電話画面拭きクロスを提供する。【解決手段】携帯電話カバー（１）に画面拭きクロス（３）をワイヤー（２）で結合させ、携帯電話画面使用時はクロスシート（４）をしっかりとめくり上げることができる。またクロスシート（４）の下部の刷毛状のもの（７）によりボタンの溝の埃も払うことができるのが特徴である。【選択図】図１
2008206123.tif 000002
【特許請求の範囲】
【請求項１】
（イ）画面拭きクロス（３）を付けたシート（４）を携帯電話カバー（１）に取り付けることで、電話使用時の画面の汚損防止ができる。
（ロ）クロスシート（４）の下部に刷毛状のもの（７）を取り付けることでボタンの溝の埃も払うことができる。また刷毛部にアロマを染み込ませて香りも楽しむこともできる。
（ハ）クロスを通しても画面は見られるが、画面視聴時はしっかりとめくり上げておくことができる。
以上の機能をそなえた携帯電話画面拭きクロス。
【発明の詳細な説明】
【技術分野】
【０００１】  本発明は、携帯電話画面拭きクロスを、携帯電話に装着するカバーにとりつけることで画面汚れを未然に防ぐ。さらに刷毛もついているためボタンの溝の埃も払うことができる。クロスを通しても画面の情報は確認できるが画面視聴時はめくり上げておける着脱可能な画面拭きクロスである。
【背景技術】
【０００２】携帯電話画面拭きクロスを備えたストラップタイプがあった。
【発明の開示】
【発明が解決しようとする課題】
【０００３】これは次のような欠点があった。汚れたら拭くという事後対処用であり、ストラップは、かさ張るものであった。この発明は以上の欠点をなくすためになされたものである。
【課題を解決するための手段】
【０００４】携帯電話カバー（１）にワイヤー（２）で画面拭きクロス（３）を縫うように結合させることで画面視聴時はシートをしっかりとめくりあげておける。これは折り込むようにめくり上げるため状態をしっかり保てる。さらに超薄型であるため装着し続けてもクロスシート（４）を通して画面も読み取れ、携帯電話の機能を損なうことなく、画面の汚れ防止ができる。クロスシート（４）の下部に刷毛状のもの（７）をとりつけボタンの溝の埃も払うことができる。着脱可能な画面拭きクロスが本発明の特徴ある。
【発明の効果】
【０００５】画面の汚損を防止し、汚れてもその場で拭き取ることができる。画面拭きクロスの下部の刷毛のようなものでボタンの溝の埃も払うことができる。刷毛部にアロマを染み込ませると携帯電話自体の熱により香りが広がる。クロスの柄やアロマによりアクセサリーの機能も果たし、着せ替え服のように携帯電話を自分の好みに演出することができる。
【発明を実施するための最良の形態】
【０００６】携帯電話カバー（１）にクロスシート（４）を結合させる。結合部分は細い棒状のワイヤー（２）で切れ目の入った携帯電話カバー（１）とクロスシート（４）を縫うようにつなぐ。本来の携帯電話機能に支障をきたさないよう、携帯電話カバー（１）の幅を携帯電話機種に合わせ、折り込むようにめくりやすくするためクロスシート（４）の上部はカーブをもたせる。ワイヤー（２）は細いものを使用し両端には抜けないよう厚みまたは幅をもたせる。携帯電話カバー（１）はビニールもしくは伸縮性のある素材で画面拭きクロス（３）はクロスを通しても画面も見えるようの薄手のポリエステルや目の粗いガーゼ類の素材が望ましい。刷毛状のもの（７）は静電気が起きないよう腰のある天然素材のものが良い。発明は以上のような構造である。
【図面の簡単な説明】
【０００８】
【図１】  本発明の正面図である。
【図１−１】  本発明の画面拭きクロスをめくり上げた正面図である。
【図２】  本発明の結合部詳細図である。
【図２−１】  本発明の画面拭きクロスをめくり上げた結合部詳細図である。
【図３】  本発明の結合部平面図である。
【図４】  本発明の携帯電話装着正面図である。
【図４−１】  本発明の画面拭きクロスをめくり上げた状態の携帯電話装着正面図である。
【符号の説明】
【０００９】１  携帯電話カバー
２  ワイヤー
３  画面拭きクロス
４  画面拭きクロスシート
５  携帯電話
６  携帯電話液晶画面
７  刷毛状のもの
【図１】
2008206123.tif 000003
【図１−１】
2008206123.tif 000004
【図２】
2008206123.tif 000005
【図２−１】
2008206123.tif 000006
【図３】
2008206123.tif 000007
【図４】
2008206123.tif 000008
【図４−１】
2008206123.tif 000009
(57)【要約】【課題】  大腸菌類汚染土壌、土砂は埋め立て等による再利用及び投棄による処理が行われているが、大腸菌等による汚染のため、その利用範囲が限られている。【解決手段】  大腸菌類汚染土壌、土砂にセメント、セメント系固化材、石灰を添加し、大腸菌類を滅菌することにより土壌、土砂の再利用の範囲を広げるものである。【特許請求の範囲】
【請求項１】
大腸菌類に汚染された土壌、土砂にセメント、セメント系固化材、石灰を混合することにより滅菌することを特徴とする処理方法。
【請求項２】
前記セメント、セメント系固化材は水硬性材料粉末、土質材料粉末、石膏粉末を母材とし、少なくとも１種類以上を添加することを特徴とする請求項１に記載の汚染土壌、土砂の処理方法。
【請求項３】
前記石灰は生石灰、消石灰を母材とし、少なくとも１種類以上を添加することを特徴とする請求項１に記載の汚染土壌、土砂の処理方法。
【発明の詳細な説明】
【技術分野】
【０００１】  本発明は大腸菌類汚染土壌、土砂を、迅速かつ経済的に滅菌する方法に関するものである。
【背景技術】
【０００２】  現在、種々の過程を経て排出される土砂は埋め立て等による再利用及び投棄による処理が行われているが、大腸菌類による汚染のため、その利用範囲が限定されているのが現状であり、そのため土壌の滅菌自体が一般的ではない。直接手で触れる砂場の砂の殺菌で処理が行なわれている程度である。以下過去に特許出願されているものを簡単に説明する。
【特許文献１】  「特開平１１−２９４０５」  従来技術は砂場の砂に酸化チタンがセメントにより粒子状に形成された粒子体を混入するものであり、酸化チタンやセメントの比重が砂と同程度であることから流出を防止できること、粒子体の表面の汚れが雨により洗い流され殺菌作用が長期にわたり保障されることを特徴とした技術である。
【発明の開示】
【発明が解決しようとする課題】
【０００３】  しかし、前記従来技術には経済的な観点から見る限り未だ不十分である。従来技術では、酸化チタンを使用すること、酸化チタンをセメントの固化作用により粒状化するために相応の技術、設備を要することが予想され、その分高額となり経済的な面の問題がある。【０００４】  本発明はこれら前記従来技術の経済面での欠点・問題点を解決し、汚染土壌、土砂を滅菌させる、従来とは異なる新技術を開発・提供することを目的とするものである。
【課題を解決するための手段】
【０００５】  本発明は、上記の課題を解決するもので、手法としては汚染土壌、土砂にセメント、セメント系固化材、石灰を混入し攪拌するものである。【０００６】  本発明の特徴は経済性を重視した点にある。使用する材料が安価であること、手法はセメント、セメント系固化材、石灰を添加し攪拌するという単純な手法であること、添加量はセメント、セメント系固化材で３ｗｔ％程度、石灰で１０ｗｔ％と少量であることが特徴として挙げられる。
【発明の効果】
【０００７】  以上の手段、特徴から非常に単純な方法であること、少量で滅菌すること、使用材料が安価であると共に以下の優位性が浮かび上がる。高額の設備を必要としないこと、熟練した技術を要しないこと、大量の処理を行えることなどから経済面において非常に大きな効果をもたらすものである。
【発明を実施するための最良の形態】
【０００８】  以下に本発明の実施の形態を説明する。自然界における土壌、土砂は通常ある程度の水分を含んでおり、セメントを添加、攪拌することにより水和反応が進み高アルカリ環境が維持されることにより大腸菌の細胞質が加水分解され死滅するものであり、また水分の減少も伴うことで大腸菌の繁殖しづらい環境を保つことにより効果が表れるものである。【０００９】  石灰の添加もセメントと同様な効果があるが、生石灰の場合はセメントに比べ大きな発熱を伴う水和反応であり、熱による滅菌も行われる。生石灰による反応熱は１ｍｏｌ当たり１５．３ｋｃａｌとされている。
【実施例】
【００１０】  試験用の試料の土砂は下水処理場の処理過程において生ずる洗砂を使用し、初期性状は大腸菌群数２１，０００個／ｇ〜１，６２０，０００個／ｇにおいて実施した。本試験においてのセメントは高炉Ｂ種セメントを使用した。これを洗砂に約２．３ｗｔ％及び３．８ｗｔ％添加し、３日及び７日養生で試験を実施した。結果は全てにおいて大腸菌群数としてゼロとなった。分析方法はデオキシコール酸塩倍地法によるものである。また養生方法による違いを確認する為、突き固めた場合と、混練後放置した場合を比較するが双方とも大腸菌群数はゼロとなり違いは無い。【００１１】  石灰の添加による試験試料も同様の洗砂とした。初期性状は大腸菌群数２１，０００個／ｇにおいて実施した。汚染された洗砂１ｋｇの室内試験において生石灰を１０ｗｔ％添加攪拌、５分後には最高温度で９２．３℃まで上昇、１時間経過後も５５．４℃を維持した。処理後において大腸菌群数はゼロとなった。【００１２】  室外における放熱を考慮し１ｍ３規模での試験を実施、初期性状で大腸菌群数１，１６０，０００個／ｇの試料に生石灰を１５ｗｔ％、１８ｗｔ％、２１ｗｔ％の試験区において添加攪拌を行った。温度は各試験区全てにおいて１時間以上８０℃〜１２０℃を維持、２４時間経過後においても８０℃を維持しており外気温に大きく左右されない。処理後において大腸菌群数はゼロとなった。
(57)【要約】【課題】  従来の車椅子では介護のために自動車に乗せ病院に行くのには介護時間がかかり乗り降り大変な事です車椅子を上下させる事でスムスに介護が出来る用になると思います。【解決手段】  そこでスムス車の出番だと思います是非に御祈念申し上げます但し軽金属使用と【選択図】図１
2008206945.tif 000002
【特許請求の範囲】
【発明の詳細な説明】
【０００１】  本発明は一般には車椅子に関する物件です。
【背景技術】
【０００２】  足腰に障害の有る人を介護に関する介護車です。それは自動車・ベッドに乗り降りに関する物件で有ります。【０００３】  自動車に乗せる・降ろす・時に大変に時間が掛かり大変な介護者に負担が掛かり大変な困難が多いと思います。それをスムスに出来る用にと・病院・旅行・ファミリー・で楽しめる様笑顔が出る介護が出来る様な物件で御座いますので御願いいたします【０００４】  スムス車にＡさんを座らせ自動車左座度に乗るにはスムス車を後部の図面の▲１▼ペダルを足で上下させ自動車の座席に合わせ上げ自動車に近づけＡさんを自動車に乗せかえます。【０００５】  スムス車は折り畳み式で二つにする事ができ自動車に積む事が出来る用に手軽にそれがスムス車の全貌で有ります世の中に出る事を御祈念申し上げます。但し軽金属を使用する事を心掛ける用に思います。
図面Ａ・Ｂの用に二つにして積みます。
2008206945.tif 000003
2008206945.tif 000004
2008206945.tif 000005
【手続補正書】
【提出日】平成19年5月14日(2007.5.14)
【手続補正２】
【補正対象書類名】特許請求の範囲
【補正対象項目名】全文
【補正方法】変更
【補正の内容】
【特許請求の範囲】
【請求項１】
名  ファミリーハッピースムース車
・介護のための物件で便利形の物
・病院旅行介護を楽しく出来る様にとの物件です。御願いいたします。（介護用として）
【手続補正３】
【補正対象書類名】明細書
【補正対象項目名】全文
【補正方法】変更
【補正の内容】
【発明の詳細な説明】
【０００１】    本発明は一般には車椅子に関する物件ですが座席が油圧によって上下し座席がスライドします。９０度回転する。
【背景技術】
【０００２】    足腰に障害の有る人を介護に関する介護車です。それは自動車・ベッドに乗り降りに関する物件で有ります。旅行にと介護が楽しくそれにファミリー万歳ファミリーの癒す介護車として世に出る事を御祈念申し上げます。【０００３】    自動車に乗せる・降ろす時に大変に時間が掛かり大変な介護者に負担が掛かり大変な困難が多いと思います。それをスムスに出来る様にと・病院・旅行・ファミリー・で楽しめる様笑顔が出る介護が出来る様な物件で御座いますので御願いいたします。【０００４】    スムス車にＡさんを座らせ自動車左座席に乗るにはスムス車を後部の図面の▲１▼ペダルを足で上下させ自動車の座席に合わせ上げ自動車に近づけＡさんを自動車に乗せ変えます。【０００５】    スムス車は折りたたみ式で自動車に積む事が出来る様に手軽にそれがスムス車の全貌で有ります世の中に出る事を御祈念申し上げます。但し軽金属を使用する事を心掛ける様に思います。図面３の様に折りたたみ積み込む事が出来ます。
【図面の簡単な説明】
【０００６】
【図１】スムース車の座席が０３油圧で上下します記号０１ペダルを上下させます  図１Ａ記号Ｐを座席とします。記号０２スライドとします。
【図２】記号０４・９０度回転する自動車に左側に寄せ隙間のないように出来る事です
【図３】折りたたみ形とします記号Ｂがたたみ所ですなるべく軽量に仕上げる事にいたします６ｋｇ〜１０ｋｇとする事にチタンアルミその他で仕上げます。安全第一で仕上げる    つもりですよろしく御祈念申し上げます。
【符号の説明】
【手続補正４】
【補正対象書類名】図面
【補正対象項目名】全図
【補正方法】変更
【補正の内容】
【図１】
2008206945.tif 000006
2008206945.tif 000007
【図２】
2008206945.tif 000008
【図３】
2008206945.tif 000009
【手続補正書】
【提出日】平成19年8月27日(2007.8.27)
【手続補正１】
【補正対象書類名】手続補正書
【補正対象項目名】手続補正４
【補正方法】変更
【補正の内容】
【手続補正４】
【補正対象書類名】図面
【補正対象項目名】全図
【補正方法】変更
【補正の内容】
【図１】
2008206945.tif 000010
【図２】
2008206945.tif 000011
【図３】
2008206945.tif 000012
(57)【要約】【課題】  本発明は、テレビや本を楽しみながら簡単に腹筋運動が出来る座椅子を提供する。【手段】  座部の後端に所要角度の腰当部を設け、座部両横端に前方が所要長さの直線で後方が所要形状の上方に弧状形成された脚部を設ける。【選択図】図１
2008206950.tif 000002
【特許請求の範囲】
【請求項１】
座部の後端に所要角度にて腰当部を設け、座部両横端に前方が所要長さの直線状に後方が所要形状の上方に弧状形成された脚部を設けた座椅子。
【発明の詳細な説明】
【技術分野】
【０００１】  本発明は、テレビや読書をしながら腹筋背筋運動ができる座椅子に関するものである。
【背景技術】
【０００２】  従来の、座椅子は楽に座りリラックスすることを主目的にしていた。
【発明の開示】
【発明が解決しようとする課題】
【０００３】  座椅子に座りながらテレビや本を楽しながら腹筋背筋運動ができるので、健康及びダイエットを楽に実行できることを目的とする。
【課題を解決するための手段】
【０００４】  座部の後端に所要角度の腰当部を設け、座部両横端に前方が所要長さの直線状に後方が所要形状の上方に弧状に形成された脚部を設けた座椅子。
【発明の効果】
【０００５】  本発明に座り体を後方に反らすと、背もたれの無い本座椅子は腹筋や背筋の運動に有効で、健康やダイエットに効果がある。
【発明を実施するための最良の形態】
【０００６】  座部（１）の後端に所要角度の腰当部（２）を設け、座部両横端に前方が所要長さの直線状に後方が所要形状の上方に弧状に形成された脚部（３）を設けた座椅子。
本発明は以上の構成よりなる。
本発明を使用する場合は、座椅子に座り体を後方に反らせゆっくり体を前後に揺らすと背もたれの無い本座椅子は腹筋や背筋の筋肉を使い運動に役立つ。
【図面の簡単な説明】
【０００７】
【図１】本発明の断面側面図
【図２】本発明の正面図
【符号の説明】
【０００８】（１）座部  （２）腰当部  （３）脚部
【図１】
2008206950.tif 000003
【図２】
2008206950.tif 000004
(57)【要約】【課題】  本発明は掃除機ノズルに袋状になった不織布を取り付け吸引力を利用しながらゴミや埃を逃がすことなく掃除機本体を衛生的に保ちながら拭き掃除効果を得る。【解決手段】  本発明は掃除機ノズルにゴムまたは両面テープと一体となった袋状の不織布を取り付けることにより掃除機の吸引力を利用しながら、ゴミや埃ペットの毛等を逃がすことなく絡め取り、吸い取ったゴミや埃ペットの毛等が本体に侵入するのを防ぎながら同時に拭き掃除効果を得、使用後は使い捨てることにより掃除機本体を常に衛生的に保ち悪臭防止にもなる。【選択図】図１
2008206944.tif 000002
【特許請求の範囲】
【請求項１】
形状が袋状になった不織布と一体となったゴムまたは両面テープからなる使い捨て可能な掃除機ノズル取り付け具。
【請求項２】
不織布からなりドライ、ウエット、除菌、香り等により同時に拭き掃除効果や悪臭防止効果も得られる請求項１に記載の掃除機ノズル取り付け具。
【請求項３】
素材については請求項１又は請求項２に記載の不織布のみにとどまらず、ナイロンやワタ等ゴミや埃を絡めやすいその他の素材も含まれる掃除機ノズル取り付け具。
【請求項４】
形状については請求項１に記載の袋状のみにとどまらず平型や三角形等その他の形状も含まれる掃除機ノズル取り付け具。
【発明の詳細な説明】
【技術分野】
【０００１】  本発明は掃除機ノズルに容易に着脱が可能で掃除機本体も汚すことなく、すぐれた掃除効果をもたらす、掃除機ノズル取り付け具に関するものである。
【背景技術】
【０００２】  従来、掃除機をかけた場合、本体の中にゴミや埃ペットの毛等をため込んでいる。その後、より綺麗にするために、拭き掃除をする必要がある。
【発明の開示】
【発明が解決しようとする課題】
【０００３】  従来の技術で述べたものは、吸い取ったゴミや埃、ペットの毛等を本体にため込むため、排気ダストからダニの糞や死骸が出たり悪臭の原因となっており、ペットの毛等により、本体が目詰まりを起こし故障の原因となっている。また、より綺麗にするためには拭き掃除が必要で二度手間である。【０００４】  そこで本発明は、掃除機ノズルの種類は問わずに着脱が容易で掃除機本体を汚すことなく且つ同時に拭き掃除の役割も備えた掃除機ノズル取り付け具の提供をしようとするものである。
【課題を解決するための手段】
【０００５】  本発明における掃除機ノズル取り付け具は、不織布等ゴミや埃を絡めやすい素材からなるドライタイプやウエットタイプ、香製や除菌タイプの袋状のものでノズルへの取り付けに使用される部分にはゴムや両面テープを用いることにより構成される。
【発明の効果】
【０００６】  本発明は以上に述べたように構成されているので、ノズルの種類を問わず着脱が可能なため、どのような掃除機にも使用できウエットタイプや香製、除菌タイプを用いることにより拭き掃除効果と悪臭防止効果が得られる。【０００７】  また、形状を袋状、材質を不織布にすることにより掃除機の吸い取り効果と相まってゴミや埃がよく取れる上、これらのゴミや埃ペットの毛等が本体に進入することがないため目詰まりを防ぎ、袋の部分にたまったゴミや埃は使用後、手を汚すことなく容易に取り外して捨てることが可能なため掃除機ノズルから本体に至るまで常に衛生状態を最良に保つことができる。
【発明を実施するための最良の形態】
【０００８】  以下、本発明の実施の形態を図１〜図４に基づいて説明する。【０００９】  図１、図２は、不織布本体１をゴム２により確実に掃除機ノズルに装着されている。【００１０】  図３において、不織布本体１はゴム２により上部が伸縮自在に開閉可能な袋状からなっている。【００１１】  図４は、不織布本体１をゴム２により確実にすき間ノズル、棚用ノズルに装着されている。
【図面の簡単な説明】
【００１２】
【図１】  掃除機ノズルに装着した上面図
【図２】  掃除機ノズルに装着した底面図
【図３】  掃除機ノズル取り付け具の正面図
【図４】  掃除機ノズルに装着した斜視図
【符号の説明】
【００１３】１  不織布本体
２  ゴム
３  掃除機ノズル
４  すき間ノズル
５  棚用ノズル
【図１】
2008206944.tif 000003
【図２】
2008206944.tif 000004
【図３】
2008206944.tif 000005
【図４】
2008206944.tif 000006
(57)【要約】      （修正有）【課題】カーペットの掃除時に使用済みの粘着シート１周分を簡単にはぎ取ることができる粘着テープめくり取りクリーナーを提供する。【解決手段】粘着テープロール１の端から端まで粘着テープの表面から粘着テープ巻き芯３まで貫通するように切込み開口部２をいれる。又はがし部分が一目で分かるように貫通した切り込み面６と巻き芯３の表面に目印の色を付ける。【選択図】図１
2008206947.tif 000002
【特許請求の範囲】
【請求項１】
本発明品はカーペット用等のクリーナーであって、粘着テープを巻き芯に筒状に巻きつけた厚みに、粘着テープの表面から巻き芯までの層に貫通するすき間ができる切り込みをいれたものである又粘着力がなくなった、粘着テープを１週分はがし取る時に、最後を切り離すことなく、１枚ずつめくり取れるようにした、粘着テープめくり取りクリーナーである。
【請求項２】
めくり取り部分がひと目でわかるように、粘着テープの筒の端から端までに直線、斜線、らせん状等のいずれかの切れ込みをいれた切込み面に、切り込んだすき間の面と、巻き芯の表面に、目じるしの色をつけた、粘着テープめくり取りクリーナーである。
【発明の詳細な説明】
【技術分野】
【０００１】本発明はカーペット掃除時に、粘着テープに粘着力がなくなった時、１枚ずつ切り込みめくり部分より簡単にはぎ取ることができる、粘着テープめくり取りクリーナーに関するものである。
【背景技術】
【０００２】従来は粘着テープの端に切り込みがあるもの、又ミシン目の切り込みがあるもので掃除をしていたが、髪の毛、ペットの毛、糸くず、ごみホコリ等が、粘着テープに付着し、はぎ取り部分が見つけにくく苦労していた又１週分をはがし、切り取っていたが切りとりがむずかしかった。
【発明の開示】
【発明が解決しようとする課題】
【０００３】  そのために、次のような問題点があった。
（イ）粘着テープのロールに髪の毛、ペットの毛、糸くず、ごみホコリ等が切り込み部分に巻きつき、はがし場所が分かりにくく、はがすのが大変だった。
（ロ）粘着ロールの１週分の切り離しが、髪の毛、ペットの毛、糸くず等が付着し切り離しが困難だった。
本発明は以上の問題点を解決しようとするものである。
【課題を解決するための手段】
【０００４】  粘着テープロールの表面から粘着テープの巻き芯まで１週分が簡単に、１枚ずつはがし取れるよう切れ込みをロールの端から端まで直線、斜線、らせん状等のいずれかの切り込みが巻き芯まで貫通するように、切り込みをいれたものである。又切れ込み面と巻き芯ロールの表面に目じるしの色をつけたものである。
【発明の効果】
【０００５】本発明は粘着テープに粘着力がなくなったとき、目じるし色のついた、めくり場所から１枚めくると、１週分の不要になった粘着テープを切り離すことなく、めくりはがし取ることが簡単にできる。
【発明を実施するための最良の形態】
【０００６】以下、本発明の実施の形態を説明する。
（イ）粘着テープロールに１週分が簡単にはがし取れるよう粘着テープの巻き芯まで貫通する切れ込みを入れる（２）
（ロ）粘着テープのロールに直線、斜線、らせん状のいずれかの切れ込みを粘着テープの表面から巻き芯まで、貫通する切れ込みを入れる（６）
（ハ）巻き芯（３）の表面に目じるしの色をつける。
（ニ）切り込み面（６）に目じるしの色をつける。
本発明は以上の構成よりなっている。
【図面の簡単な説明】
【０００７】
【図１】本発明の斜視図
【図２】本発明の使用状態を示す斜視図
【符号の説明】
【０００８】    １  粘着テープロール
２  切り込み開口部
３  粘着テープ巻き芯
４  めくり取り部位
５  粘着テープロール取付本体
６  切り込み部位の色付け部
【図１】
2008206947.tif 000003
【図２】
2008206947.tif 000004
(57)【要約】【課題】現状の風呂の浮きゴミ取りは、都度キレイにしなければいけなくゴミの回収も、手間がかかり、最後に風呂に入る人は、ゴミが浮いていたりしても回収するのも面倒で、かまわず入っていた。その為、最後まで快適に入浴できなかった。【解決手段】最初に風呂に入る人が回収ネットを浮かせることで人が風呂を使用する波によりゴミが自然回収され最後までかまう事無くお湯に浮かんだゴミや湯あかをキャッチし最後まで快適な風呂を使用できる。【選択図】図１
2008206941.tif 000002
【特許請求の範囲】
【請求項１】
形状記憶ワイヤーにネット、浮き具、固定具を取り付け使用時、形を変形させ固定したものを浮かべ使用する浮きゴミ回収用具である。
【発明の詳細な説明】
【技術分野】
【０００１】  この発明は、家庭の風呂で発生する湯に浮いたゴミを勝手に収集する浮きゴミ取り用具に関するするものである。
【背景技術】
【０００２】  従来湯ゴミ取りは、平たいネット［図６］の単体で湯の浮きゴミをすくい取る物は、回収率は良くなく忘れがちであった。また、電池で浮きゴミを回収する物もあるが回収率がよくなく電池もいるし実用的ではなく最後に風呂を使用する人は快適ではなかった。
【発明の開示】
【発明が解決しようとする課題】
【０００３】しかしながら、以上の技術によれば
（イ）  従来のものは、都度ゴミをすくう必要があった。
（ロ）  後の人の事を考え使用するのを忘れがちで、ネットを使用しきれていない。
（ハ）  最後に風呂に入る人は浮きゴミが有り快適ではなかった。
そこで、この発明は、最初に風呂を使用した人から最後に使用する人まで入れておくだけで勝手に風呂の浮きごみを集め快適に入浴できる用具を提供することを課題とする。
【課題を解決するための手段】
【０００４】  以上の課題を解決するために本発明は、形状記憶ワイヤーにネットを張り浮きとクリップを付けたもの［図１］を、［図２］のような形に変形しクリップで固定し、風呂に［図４］の様に浮かべて使用する。
浮かべて使用することを特徴とした、浮きゴミ回収ネットである。
【発明の効果】
【０００５】（イ）浴槽に浮かべることで［図４］、人が風呂を使用する都度、湯の浮きゴミがネットの口へ湯と共に入り、湯は編み目から出てゴミだけ残り、一端付着したゴミはネットが波打っている為に逆流しない。
（ロ）ネットの上に付いたゴミも一度付着すると湯波では取れにくい。
【発明を実施するための最良の形態】
【０００６】  この発明の形態を、［図１］に示す。
四角い形状記憶ワイヤー▲１▼に目の細かいネット▲２▼を張り、浮き▲３▼とフック▲４▼をつけた。実施形態は、［図２］に示す。          ［図１］を変形させ［図２］にしたものを［図４］のように風呂に浮かべて使用する。【０００７】「実施形態の効果」
１．  風呂に浮かべることにより、湯に漂い開いた口部分から湯ゴミを吸い込むと戻さない。同時に上に付いたゴミを離さない。
２．  人の動きにより吸い込むので、ただ浮かべておけば良い。
３．  ネットなので安全を保てる。
４．  付着したゴミは水で簡単に洗い流せる［図５］。
５．  ネットなので日干しできるので清潔を保てる。
６．  ネットなので使用後、繰り返し使用できる。
７．  ネットを広げ、浴槽内の沈殿したゴミも回収できる。
８．  湯船をかき回しておけば、沈殿物が浮かび回収ネットで回収できる。
９．  桶でお湯をすくって捨てる必要がなく、水道代の節約。
１０．電池代等の別料金がかからない。【０００８】「他の実施形態」
図１の形態で、
ネットを広げ［図１］の形態で、浴槽内の沈殿したゴミも回収しても良い。
【図面の簡単な説明】
【０００９】
【図１】全体図
【図２】組み立て斜視図
【図３】組み立て正面図
【図４】使用図（風呂に浮かせて）
【図５】清掃図
【図６】従来の風呂ゴミネット
【符号の説明】
【００１０】▲１▼形状記憶ワイヤー
▲２▼ネット
▲３▼浮き
▲４▼固定用クリップ
▲５▼蛇口
【図１】
2008206941.tif 000003
【図２】
2008206941.tif 000004
【図３】
2008206941.tif 000005
【図４】
2008206941.tif 000006
【図５】
2008206941.tif 000007
【図６】
2008206941.tif 000008
(57)【要約】【課題】印象後、模型を印象材からはずす時に破損させないように組み立て、分解が可能な分割式印象トレーを提供する。【解決手段】印象トレーにトレー舌、口蓋側片（１）とトレー唇、頬側片（２）とを結合固定、固定の解除をさせる構造物（３）叉は手段を与え、必要に応じて組み立て、分解が可能な構造を特徴とする。【選択図】図１
2008206939.tif 000002
【特許請求の範囲】
【請求項１】
トレー舌、口蓋側片（１）とトレー唇、頬側片（２）とに分割され、両者の結合固定と固定の解除とをすることが可能な分割式印象トレー
【請求項２】
互いの結合固定と、固定の解除とが可能な
印象トレー舌、口蓋側片  と
印象トレー唇、頬側片
【発明の詳細な説明】
【技術分野】
【０００１】この発明は分割式印象トレーに関するものである。
【背景技術】
【０００２】従来、印象トレーはトレー舌、口蓋側と唇、頬側とが一体構造であった。
【発明の開示】
【発明が解決しようとする課題】
【０００３】これは次のような欠点があった。
印象採得後、石膏泥を注入し模型を製作するが、このとき模型は弾性の印象材を介して舌、口蓋側と唇、頬側との両側から硬質のトレー側壁により把持されている。
このため、その後、印象材から模型をはずす際に、はずす方向が制限され模型が破損する場合がある。
本発明は、以上のような欠点をなくすためになされたものである。
【課題を解決するための手段】
【０００４】印象トレーをトレー舌、口蓋側片（１）とトレー唇、頬側片（２）とに分割し両者の結合固定、固定の解除をさせる構造物（３）、又は手段を与える。これにより一方のトレー側片を他方から独立に印象材から分離させることが可能な構造とする。
本発明は、以上の構成よりなる分割式印象トレーである。
【発明の効果】
【０００５】印象材から模型をはずす時にトレー舌、口蓋側片（１）とトレー唇、頬側片（２）の固定を解除し一方のトレー側片を先に印象材から分離することにより模型にかかる舌、口蓋側と唇、頬側との両側からの把持力が減少し、はずす方向の自由度が増すため模型を破損させる可能性を小さくすることができる。また印象採得時にはトレー舌、口蓋側片（１）とトレー唇、頬側片（２）を結合固定し通常の印象トレーとして使用できる。
【発明を実施するための最良の形態】
【０００６】以下、本発明を実施するための最良の形態について説明する。
印象トレーを歯列弓相当部に沿って舌、口蓋側と唇、頬側とに分割しそれぞれトレー舌、口蓋側片（１）とトレー唇、頬側片（２）とする。両者の適宜位置に両者の結合固定、固定の解除をさせる構造物（３）を与える。両者の結合固定、固定の解除をさせる構造物（３）としては雄型接続部と前記雄型接続部に着脱自在の雌型接続部とからなる形状を有するものがある。雄型接続部と雌型接続部を締めつけることによりトレー舌、口蓋側片（１）とトレー唇、頬側片（２）を結合固定し、緩めることにより固定の解除を行う。その他の、両者の結合固定、固定の解除をさせる構造物（３）として磁性を持ち磁力を利用できる性状を有するものがある。
また接着剤により両者の結合固定、固定の解除も可能である。
本発明は、以上の構成よりなる分割式印象トレーである。これを使用するときは、印象採得時には両者を結合固定した状態で行い、模型をはずす時には両者の固定の解除をし模型に応力がかかりにくい状態で行う。
【図面の簡単な説明】
【０００７】
【図１】本発明の斜視図である。
【図２】本発明の断面図である。
【図３】従来の印象トレーの断面図である。
【符号の説明】
【０００８】    １    トレー舌、口蓋側片
２    トレー唇、頬側片
３    両者の結合固定、固定の解除をさせる構造物
【図１】
2008206939.tif 000003
【図２】
2008206939.tif 000004
【図３】
2008206939.tif 000005
(57)【要約】      （修正有）【課題】マスクを眼鏡と併用した際、吐息により眼鏡のレンズが曇ってしまうことを防止する。【解決手段】従来品のマスクの内側面上部一帯に粘着性を付することにより、装着時にマスクの内側面上部一帯を直接顔面に貼り付けられる構造とした。これによりマスク上部から吐息が漏れることを防ぎ、眼鏡を併用した際に曇ってしまうことを防止する効果が得られた。又、マスク上部の通気性を抑止することにより、マスク本体を通気した吐息により眼鏡が曇ってしまうことをも防止する効果が得られた。【選択図】図２
2008206940.tif 000002
【特許請求の範囲】
【請求項１】
従来品のマスクの内側面上部一帯に粘着性を付する構造としたもの。
【請求項２】
請求項１に記載の発明において、マスク上部の通気性を抑止する構造としたもの。
【発明の詳細な説明】
【図面の簡単な説明】
【図１】  本発明品の外側面の構造を示す図である。
【図２】  本発明品の内側面の構造を示す図である。
【図３】  本発明品を装着した状態を示す図である。
【符号の説明】
１  マスク外側面
２  マスク内側面
Ａ  マスク上部の通気性を抑止した部位
Ｂ  内側面上部一帯の粘着性を付した部位
Ｃ  眼鏡
【図１】
2008206940.tif 000003
【図２】
2008206940.tif 000004
【図３】
2008206940.tif 000005
(57)【要約】【課題】    対になる洗濯物を干すとき、使いやすいように洗濯バサミを並列に連結を設けたダブル洗濯バサミを提供する。【解決手段】  洗濯バサミ（１）の一端に洗濯バサミ（２）を設け、洗濯バサミ（１）と洗濯バサミ（２）に結束バンドを設けた並列に２つに繋がった洗濯バサミを特徴とする。【選択図】図１
2008206937.tif 000002
【特許請求の範囲】
【請求項１】
洗濯バサミ（１）の一端に洗濯バサミ（２）を設け、洗濯バサミの一端（１）と洗濯バサミ（２）に結束バンドを設けた並列に２つに繋がった洗濯バサミ。
【発明の詳細な説明】
【技術分野】
【０００１】  この発明は、洗濯バサミの一端に洗濯バサミを設けたダブル洗濯バサミに関するものである。
【背景技術】
【０００２】  従来、洗濯バサミは各１個ずつになっていた。
【発明の開示】
【発明が解決しようとする課題】
【０００３】  これは、次のような欠点があった。
従来、１つずつの洗濯バサミでは、靴下などの対になるものを干す場合１つにまとめて干すと乾くのが遅くなり、ばらばらに干すと後で洗濯物を片付ける時、対を探すのに苦労し困ることが多かった。
本発明は、以上のような欠点をなくすためになされたものである。
【課題を解決するための手段】
【０００４】  洗濯バサミ（１）の一端に洗濯バサミ（２）を設け、洗濯バサミ（１）と洗濯バサミ（２）に結束バンドを設ける。
【発明の効果】
【０００５】  洗濯バサミが二つが連結されているので、対になる洗濯物を重ねずに一箇所に干すことが出来、空間により多くの物を干すことが出来る。
【発明を実施するための最良の形態】
【０００６】  以下、本発明を実施するための最良の形態について説明する。
洗濯バサミ（１）の上部の一端に穴（２）を設ける。
洗濯バサミ（２）の上部の一端に穴（３）を設ける。
穴（２）と穴（３）を重ね、そこに結束バンド（４）を通し結束し固定する。
本発明は、以上のような構造である。
【図面の簡単な説明】
【０００７】
【図１】  本発明の正面図である。
【符号の説明】
【０００８】  １  洗濯バサミ
２  洗濯バサミ
３  結束バンド
【図１】
2008206937.tif 000003
(57)【要約】【課題】  排接は人間生活において、欠かせないが使用方法（子供を含む男子）と維持管理（主婦等）で問題が多い。  要因は、男子の小用時のマナー及び姿勢等もあるが、既設便座の形状も起因する。即ち現状は性別、用途別と区分しない共用便座方式となっており、清潔快適さの一部が損われている。【解決手段】  便器基台１と、既設便座４間に男子小用専用の洗浄式飛散防止枠３を新設する。  即ち便器基台１の内側に半円筒形の洗浄式飛散防止枠３を支持基板２で支持し昇降装置で、２０〜３０糎上昇させる事で放散角と距離を最小、最短として実施する。  因みに、既設便座４は上昇時には開放又は倒立し、用后は下降し、便座の復帰と共に飛散防止枠３の散水穴から洗浄水が流下する。  更に市販されている人体センサー等の複合使用で便器に触れる事なく、男女共に清潔で快適な使用が可能となる。【選択図】図１
2008206953.tif 000002
【特許請求の範囲】
【請求項１】
便器基台と既販便座間に、洗浄式飛散防止枠を設けて、便器基台より２０〜３０糎上昇し、用后は下降及び洗浄水を放流する事を特徴とする機構。
【発明の詳細な説明】
【技術分野】  本発明は便器の清潔保持と快適簡便さを追及するものである。
【背景技術】  清潔、快適便座の供給。株）東陶、ナショナル
【発明の開示】
【発明が解決しようとする課題】  排接は、人間生活には欠かせないが、使用方法（子供を含む男子）と維持管理（主婦等）で問題が多い。
【課題を解決するための手段】  要因は、男子の小用時の姿勢等もあるが、既設便座の形状にも起因する。このために便器基台の便座枠を約２０〜３０糎上部に設け更に洗浄式飛散防止枠を新設する事により、清潔と快適さが確保される。
【発明を実施するための最良の形態】  本発明の実施例について説明する。
図１において、便器基台１、支持基板２は洗浄式飛散防止枠３と既販便座４が固定され、フートスヰッチ５の操作で、昇降装置６が上下にスライドする機構である。
小用（男子）時、フートスヰッチ５を踏み込むと洗浄式飛散防止枠３と既販便器４は支持基板２と共に、昇降装置６で便器基台１より２０〜３０糎上昇し、既販便器４は電動又は策条方式で開放、倒立する。用后は再びフートスヰッチ５で下降と共に既販便座４が復帰する。更に飛散防止枠３の散水穴から洗浄水が流下する。
【発明の効果】
小用時（男子）の使用に際しては、洗浄式飛散防止枠の導入によって拡散を防止すると共に洗浄機能を付加する事によって使用者と維持者共々快適で清潔な便器の提供が可能となる。
【図面の簡単な説明】
【図１】斜形図
【符号の説明】
１、便器基台、          ４、既販便座、
２、支持基板、          ５、フートスヰッチ
３、洗浄式飛散防止枠    ６、昇降装置
【図１】
2008206953.tif 000003
(57)【要約】 【課題】      従来、微量しか発電しない圧電素子による発電しかも人為的作為を用いずに  自然に起こる振動を利用し、より多く発電させ蓄電器に貯め、更にバッテリー  に供給しより効率よく電気の有効利用を計る。それを発動機、産業機械、もしくは  移動手段に搭載。技術的に小型化が可能であれば携帯電話の端末として日常取り付け  充電の間隔を延長させる。 【解決手段】  球とそれを球体に収め、それぞれ圧電素子と被圧電素子とし自然振動に  より球を立体的に当てることによる。素材はセラミックの圧電素子と軽量金属が考え  られる。軽量金属球にする場合は、球体側はセラミックの圧電素子が耐久的に理想と考える。  セラミック球の圧電素子が可能ならば、球体を軽量金属とする。又、発電効率によっては  複数個の球を使用する。外側を覆う部分は使用する用途、取り付けによって様々な形が考え  られる。 【選択図】    図２
2008206236.tif 000002
【特許請求の範囲】
【請求項１】
圧電素子と被圧電素子による球と球を収める一体成型もしくは二分割した球体
自然に起こる振動を有効利用する簡易発電蓄電装置
【発明の詳細な説明】
【技術分野】
【０００１】
本発明は圧電素子を利用した発電蓄電分野である
【背景技術】
【０００２】
従来の圧電素子の使われ方はスピーカーやスイッチなどに使われることが多いがこれは微量しか発電しないことに
起因する。２次元的な使い方をするためである。
【特許文献１】特開２００２−３６８５７２号公報
【特許文献２】特開２００３−２３４６３２号公報
【発明の開示】
【発明が解決しようとする課題】
【０００３】
しかし、微量の電気でもより多くの回数、しかも我々は日常において気付かぬうちにも絶えず様々な振動にさらされている。
それらを発電蓄電できれば有効利用に繋がる。球体とその中に球を入れそれらが無駄なく当たる環境を作り発電させ更に
蓄電器に送る。
【課題を解決するための手段】
【０００４】
上記課題を解決するために、請求項１記載の自然に起こる振動を有効利用する簡易発電蓄電装置は
圧電素子と被圧電素子よる球と球体を利用する。
【発明の効果】
【０００５】
請求項１に記載されている発明の球と球体ならば如何なる角度からの振動にも無駄なく立体的に対応できる。
さらに人為的作為を必要としない。
【発明を実施するための最良の形態】
【０００６】
自然に振動が発生し、しかもできるだけ小刻みな振動が絶え間なく続く場所に設置。
【実施例】
【０００７】
１  発動機もしくは、産業機械本体に取り付ける。
２  移動手段に搭載する。
３  小型化が可能であれば携帯の充電の間隔を伸ばすよう日常接続して持ち歩く。
【図面の簡単な説明】
【０００８】
この発明を取り付ける場合の２タイプの使用例を図に示す。左側はしなる程度の厚さの板に
取り付け振動を更に増幅させようとするもの。右側は単に箱型に収めたもの。
【図１】２タイプの正面図
【図２】２タイプの断面図である。
【図１】
2008206236.tif 000003
【図２】
2008206236.tif 000004